(57)【要約】      （修正有）【課題】テレフォニーサーバで全ての電話位置を特定できるようにする。【解決手段】取得したい位置単位にネットワークを分けてテレフォニーサーバで位置を管理することにより、グループウェアを使用しないで位置を管理する。また、一般電話やＰＨＳの情報をテレフォニーサーバは取得できるので、電話機全ての位置を管理する事が可能となる。モバイルアクセスするときは、ネットワークのプロパティでモバイル用の設定が必要になるので、この情報をテレフォニーサーバとの通常プロトコルのメッセージに付加することにより、シーケンスを追加することなく位置情報を取得でき、ユーザがスケジュールを登録する必要がない。【選択図】図１
2008193185.tif 000002
【特許請求の範囲】
【請求項１】
複数のローカルエリアネットワークシステムが広域通信網を介してセンタに接続されて構成されるネットワークシステムであって、
前記センタは、
ＤＨＣＰサーバと、テレフォニーサーバと、インターネットに接続するためのルータを有し、
前記ＤＨＣＰサーバが、前記複数のローカルエリアネットワーク毎にＩＰアドレスのサブネットを分けて登録するようにしておき、それぞれのローカルエリアネットワークから接続する端末が、前記ＤＨＣＰサーバを使用することにより、前記ＩＰアドレスで前記テレフォニーサーバに登録することを特徴とするネットワークシステム。
【請求項２】
前記端末がＰＨＳの場合、テレフォニーサーバにてＢＳアンテナを使用して位置情報を取得することを特徴とする請求項１に記載のネットワークシステム。
【請求項３】
前記端末がソフトホンであり、モバイルでインターネット経由で接続される場合、テレフォニーサーバに接続するときに、ＰＣ上に登録してあるインターネット接続プロパティ情報を通知することを特徴とする請求項１に記載のネットワークシステム。
【請求項４】
前記ローカルエリアネットワークの少なくともひとつには、デスクの脚部にIDリーダを有し、フロアカーペットやフロア自体に取り付けられたIDチップのID情報の読み取りを可能とし、IDリーダより読み取ったID情報へ読み取ったデスク特定するためのユニークなコードを付加してネットワーク上へ送出するための有線ＬＡＮインタフェースを有することを特徴とする請求項１に記載のネットワークシステム。
【発明の詳細な説明】
【技術分野】
【０００１】
本発明は、IP電話システムに関し、特にテレフォニーサーバのみでプレゼンス機能である端末位置を特定するネットワークシステムに関する。
【背景技術】
【０００２】
従来の技術は、プレゼンスサーバによりグループウェア等と連携して位置を特定していた。
この場合、使用者がグループウェア等にスケジュールを登録する必要があり、使用者が登録しない場合や、スケジュール登録した場所と異なる場所にいる場合、位置を正しく他のユーザに通知できないものとなっている。
また、プレゼンスサーバと連携できるのはソフトホン等のＰＣを利用したIP電話となり、他の一般電話やPHS等のIP電話でないものを使用している場合、位置の特定ができないシステムとなっている。
【０００３】
IP電話サーバのIPアドレス取得方法に関する発明としては、特許文献１に記載されたようなものがある。
【０００４】
【特許文献１】特開２００６−３３０７３号公報
【発明の開示】
【発明が解決しようとする課題】
【０００５】
プレゼンス機能を実現するにあたり、プレゼンスサーバでは全ての電話の位置を管理表示できない課題があった。
プレゼンス機能として、従来は使用者がＰＣにスケジュールを登録しないと、位置を他のユーザに通知できない。また、間違えて登録したり、修正忘れを行うと、間違った位置を他のユーザに表示してしまう課題があった。また、自動で修正する機能もない。
このようにユーザが電話を持っていても端末の種別や使用者の登録が必要になり、位置を表示するにはふさわしくないのが課題となっている。
【課題を解決するための手段】
【０００６】
上記課題を達成するため、本発明は、プレゼンスサーバとグループウェアを連携させて使用者に登録させることなく自動で判断でき、全ての電話の情報を管理するテレフォニーサーバで位置を特定する手段を行う。各支店や工場等位置を表示したい区域でIPアドレスのサブネットを分けて登録する。また、各区域でDHPを使用することにより、その区域のサブネットで端末のIPアドレスが割り当てられ、そのIPでテレフォニーサーバにレジストする。テレフォニーサーバが各サブネットで区域を特定できるので、その情報を他のユーザを通知することにより、使用者がＰＣに登録することなく位置が特定できる。また、一般電話も同じように位置を特定できる。PHSはテレフォニーサーバにてBSアンテナを使用して位置情報を取得できる。上記内容にて全ての位置情報を自動的に取得できる。
【０００７】
また、ソフトホンについては、モバイルでインターネット経由で接続される場合、位置の特定ができなくなるが、ＰＣ上でインターネット接続するプロパティに接続する情報を登録しているので、その情報をテレフォニーサーバに接続するときに通知することにより、使用者が登録することなく位置情報を取得できる。
オフィスデスクの脚部にIDリーダを有し、フロアカーペットやフロア自体に取り付けられたIDチップのID情報の読み取りを可能とする構成を特徴とする。さらに、IDリーダより読み取ったID情報へ読み取ったデスク特定するためのユニークなコードを付加してネットワーク上へ送出するための有線ＬＡＮインタフェースを有する構成を特徴とする。
【発明の効果】
【０００８】
プレゼンス機能を実現するにあたり、ＰＣ上のＩＰ電話だけでなく、全ての電話機器に対し位置を通知できる。
また、使用者が登録することなく、システム的に自動認識させることにより正しい位置を表示できる。
このため場所の特定が正しく表示できるプレゼンスシステムを提供できる。
【発明を実施するための最良の形態】
【０００９】
図１はプレゼンス機能を実現するためのシステム構成図である。
１０１センターに１０２テレフォニーサーバと１０３ＤＣＨＰサーバ、インターネット接続する１０４ルータを用意する。１０２テレフォニーサーバが電話の位置を取得できるように１０３ＤＨＣＰサーバで１０５支店Ａと１１１工場ＢのＩＰアドレスを分けるように割り当てる。１０７一般電話は１０６Ｇ／Ｗを使用してＬＡＮ化して１０２テレフォニーサーバに接続する。１０６Ｇ／Ｗは１０２テレフォニーサーバに接続するときに１０３ＤＨＣＰサーバで支店ＡのＩＰアドレスを取得し１０２テレフォニーサーバに図２の２０１シーケンスでＧ／ＷのＩＰアドレスを通知することにより、１０２テレフォニーサーバは支店Ａにいることがわかる。１１０ＩＰ電話も１０６Ｇ／Ｗと同じように１０３ＤＣＨＰサーバから支店ＡのＩＰアドレスを取得して１０２テレフォニーサーバに図２の２０２シーケンスで接続し、接続時に１０３ＤＨＣＰサーバで取得したＩＰアドレスを渡すので、１０２テレフォニーサーバに接続することにより１０２テレフォニーサーバは支店Ａにいることが分かる。１０９ＰＨＳは１０８ＢＳと同期を取ることにより、１０８ＢＳがＰＨＳが接続したことがわかるので、１０２テレフォニーサーバに１０９ＰＨＳが接続されたことを図２の２０４シーケンスで通知する。１０２テレフォニーサーバはＢＳがどの位置にいるかわかるので位置を特定できる。
【００１０】
１１１工場Ｂでも１０５支店Ａ同様に各電話が同じように１０２テレフォニーサーバに接続することにより、各電話の位置を特定できる。
１１０ＩＰ電話がノートＰＣ等移動端末の場合、工場Ｂに移動して１０２テレフォニーサーバに接続する場合、１０３ＤＨＣＰサーバにて工場ＢのＩＰアドレスを取得して１０２テレフォニーサーバに接続するために支店Ａから工場Ｂに移動したことが判断できる。
また、モバイルとしてインターネット経由で接続する場合、ＰＣ側にインターネットの接続方式をプロパティでＰＣに登録する。この情報を図３の３０３シーケンスのように名称を通知することにより、１０２テレフォニーサーバはこの情報を記憶することにより位置の特定が可能となる。
また、電源が入っていない場合は１０２テレフォニーサーバが端末を監視しているので電源が入っていないことが簡単に分かる。
このように、１０２テレフォニーサーバにて各端末の位置が容易に管理できる。
この情報をＰＣ等に情報を渡すことにより、電話をする前に相手がどこにいるかがわかり、プレゼンス機能を実現できる。
【００１１】
図２に一般電話のシーケンスを示す。
各電話はテレフォニーサーバに接続する必要があり、一般電話テレフォニーサーバに２０１シーケンスで接続する。このときＧ／Ｗ側のＩＰアドレスをサーバに通知する。
サーバは受信したＩＰアドレスをサーバ内に事前登録されたサブネット情報と照合してエリアを確定する。電話番号、ＩＰアドレス、エリアを登録して以降管理を行なう。
発信、着信時も２０３シーケンスが動作し、INVAITEにＧ／Ｗアドレスを通知するので、管理テーブルを更新できる。また、Ｇ／Ｗが一定間隔で２０１を通知することにより更新可能となる。
【００１２】
図３にＩＰ電話のシーケンスを示す。
ＩＰ電話側が電源ＯＮ、又はネットワーク接続したときに３０１シーケンスでサーバに接続する。インターネットのモバイル経由でなければ音声通話するために３０１でＩＰ電話側のＩＰアドレスをサーバ側に通知する。このとき、１０３ＤＨＣＰを使用して支店等エリア単位にＩＰアドレスが分かれているので、サーバ側はサーバ内エリア判定テーブルからサブネットを比較して一致したサブネットのエリアを管理テーブルに作成し管理する
ＩＰ電話から一定間隔で３０１を通知するので、管理テーブルを更新する。また、一般電話と同様に発信、着信でも２０３が通知されるので更新できる。
ＩＰ電話が電源ＯＦＦやネットワークから外れた場合、サーバ側で一定時間内に３０１がこなければ管理テーブルをクリアすることにより、ＩＰ電話がいなくなったことが分かる。また、再度３０１を受信したときに作成することにより、ＩＰ電話の位置が特定できる。
【００１３】
インターネット経由で接続した場合、３０３にオプションキーワードが登録して通知できる機能があれば、ＩＰアドレスとオプションキーワードからモバイル用ＩＰアドレスならばオプションキーワードをエリアに登録することにより詳細な位置を管理できる
オプションキーワードはＰＣ側でネットワーク接続時の名称を３０３通知に登録することにより簡易に実現できる。オプションキーワードがない場合でもモバイルＩＰアドレスが通知されることによりエリアをモバイル等にエリア判定テーブルに登録していれば、インターネット接続ということを管理できる。
【００１４】
図４にＰＨＳのシーケンスを示す。
ＰＨＳの電源ＯＮするとＢＳと同期をとり、ＢＳ側がサーバにＰＨＳの内線データ等を位置情報をとしてサーバに通知する。サーバ側はＰＨＳの内線データ、ＢＳのＩＰアドレスから管理テーブルを作成する。ＰＨＳ側で電源ＯＦＦや拠点外に移動した場合、サーバ側が検知して管理テーブルから削除する。また、着信時にＰＨＳが応答しない場合も同様に管理テーブルから削除する別地点で電源ＯＮした場合や、別地点のエリアでＢＳと同期が取れた場合、別地点のＢＳが位置情報を通知することにより再度管理テーブルを作成することによりＰＨＳの位置が特定できる。
【００１５】
図５にサーバ側で管理している位置情報の取得方法を示す。
通常のプレゼンスサーバのように５０１でサーバ側に電話番号を通知して情報提供要請を行い、指定された電話番号を管理テーブルから検索し、５０２でエリアを通知することにより実現できる。
通常のプレゼンス機能はスケジューラ等のグループウェアの連携で対応しているが、使用者がスケジュールを正確に登録する必要があるが、上記シーケンスを実現することにより、全ての電話に対して位置情報を簡易に取得できる。
【００１６】
一般電話を接続するＧ／Ｗは２０１シーケンス、ＩＰ電話は３０１シーケンスでテレフォニーサーバと接続することにより通常のシーケンスでテレフォニーサーバが位置を特定できる。
【００１７】
モバイルでインターネット接続する場合３０３シーケンスでＰＣ側でモバイル接続情報のプロパティ名称をオプションとして通知する必要があるが、プレゼンスサーバとの接続シーケンスを追加するよりは安易に実現できる。
【００１８】
また、システムとしてＲＥＧＩＳＴＥＲメッセージを使用しないシステムでは、端末が発信、着信するときに使用するＩＮＶＩＴＥメッセージに付加することにより、通常規格で簡単にプレゼンス機能を実現できる。
【００１９】
テレフォニーサーバにＩＰアドレスで位置判定ができない場合でも、別サーバを設置してテレフォニーサーバに接続して、各端末の電話番号とＩＰアドレスが取得できれば、簡単にプレゼンス機能を実現できる。
【図面の簡単な説明】
【００２０】
【図１】ネットワークシステムの構成を示す図である。
【図２】一般電話位置情報管理シーケンスを説明する図である。
【図３】ＩＰ電話位置情報管理シーケンスを説明する図である。
【図４】ＰＨＳ位置情報管理シーケンスを説明する図である。
【図５】位置情報取得シーケンスを説明する図である。
【符号の説明】
【００２１】
１０１  センター
１０２  テレフォニーサーバ
１０３  ＤＨＣＰサーバ
１０４  ルータ
１０５  支店Ａ
１０６  ゲートウェイ  Ｇ／Ｗ
１０７  一般電話
１０８  ＢＳ
１０９  ＰＨＳ
１１０  ＩＰ電話  ソフトホン等
２０１  Ｇ／Ｗ接続メッセージ
２０２  Ｇ／Ｗ接続応答メッセージ
２０３  発信メッセージ
２０４  呼出中メッセージ
２０５  接続メッセージ
３０１  ＩＰ電話接続メッセージ
３０２  ＩＰ電話接続応答メッセージ
３０３  ＩＰ電話接続メッセージ（モバイル接続用）
３０４  ＩＰ電話接続応答メッセージ（モバイル接続用）
４０１  位置情報登録
４０２  位置情報応答
４０３  着信通知
４０４  着信拒否通知
５０１  情報提供要請
５０２  情報提供応答
【図１】
2008193185.tif 000003
【図２】
2008193185.tif 000004
【図３】
2008193185.tif 000005
【図４】
2008193185.tif 000006
【図５】
2008193185.tif 000007